【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
疎水性コア並びに抗菌および／または抗付着活性シェルを含んでなる高分岐ポリマー。
【請求項２】
疎水性コアが、シリコーン基、または任意にヘテロ原子も含有できる疎水性炭化水素を含んでなる、請求項１に記載の高分岐ポリマー。
【請求項３】
疎水性炭化水素が芳香族Ｃ６〜１０アリール基を含んでなる請求項２に記載の高分岐ポリマー。
【請求項４】
疎水性コアが高分岐コアを含んでなり、その上に、各々が疎水性部分を含んでなる分岐が結合し、その上に、内側から外側に抗菌および／または抗付着活性領域が結合する、請求項１〜３のいずれかに記載の高分岐ポリマー。
【請求項５】
分岐中の疎水性部分が、ブロックで配置された少なくとも１０個のモノマーからなるポリマー単位であり、各モノマーが芳香族Ｃ６〜１０アリール基を含んでなる、請求項４に記載の高分岐ポリマー。
【請求項６】
分岐中の疎水性部分が任意に変性されていてよいポリスチレンである、請求項５に記載の高分岐ポリマー。
【請求項７】
抗菌および／または抗付着活性領域が、ブロックで配置された少なくとも２０個の任意に化学変性されていてよいモノマーからなるポリマー単位であり、該モノマーが、正に帯電したアルキル化ヘテロ原子を含有する基を含んでなる、請求項１〜６のいずれかに記載の高分岐ポリマー。
【請求項８】
正に帯電したアルキル化ヘテロ原子を含有する基が、第四級アンモニウムイオン、第四級ピリジニウムイオン、第四級ホスホニウムイオンおよび第三級スルホニウムイオンから選択される、請求項７に記載の高分岐ポリマー。
【請求項９】
抗菌および／または抗付着活性領域内のモノマー数と疎水性部分内のモノマー数との比が２：１〜１００：１であり、ポリマーが３〜１０，０００個の分岐を含んでなる、請求項１〜８のいずれかに記載の高分岐ポリマー。
【請求項１０】
高分岐ポリマーの高分岐コアが０．４〜０．８の分岐度を有する請求項１〜９のいずれかに記載の高分岐ポリマー。
【請求項１１】
殺生物剤、染料および香料から選択される非共有結合活性物質を含んでなる請求項１〜１０のいずれかに記載の高分岐ポリマー。
【請求項１２】
表面を処理するためおよび／または表面に抗菌および／または抗付着特性を付与するための、請求項１〜１１のいずれかに記載の高分岐ポリマーの使用。
【請求項１３】
洗浄組成物、ヘアトリートメント組成物またはデンタルケア組成物への、請求項１〜１１のいずれかに記載の高分岐ポリマーの使用。
【請求項１４】
請求項１〜１１のいずれかに記載の高分岐ポリマーを含んでなる、洗浄組成物、ヘアトリートメント組成物およびデンタルケア組成物からなる群から選択される組成物。
【請求項１５】
請求項１〜１１のいずれかに記載の高分岐ポリマーまたは請求項１４に記載の組成物で表面を処理する、半永久的な抗菌および／または抗付着特性を表面に付与する方法。
【手続補正２】
【補正対象書類名】明細書
【補正対象項目名】００１５
【補正方法】変更
【補正の内容】
【００１５】
【図１】セラミック（左）上およびガラス（右）上でのＡＦ  ２４９の抗菌試験結果を表す。実験手順は、実施例２に記載したように実施した。観察されるように、スプレーした表面には微生物が存在せず、一方、スプレーしなかった領域には微生物の増殖が見られる。
【図２】セラミック（タイル）上でのＡＦ  ２４９の抗菌試験結果を表す。Staphylococcus aureusの付着を調べた。左から右に向かって各々、フィルム接触法に従って処理した後の、培養前のタイルの付着値（０時間）、１６時間後の付着値、および２４時間後の付着値を表す。比較のため、左側に、ａ）未処理のプラスチック表面への付着値、その隣にｂ）未処理のタイルへの付着値を示す。それらａ）およびｂ）の隣に左から右に向かって、下記組成物で処理したタイルの付着値を示す：ｃ）１００％の市販トイレクリーナー、ｄ）１００％の市販トイレクリーナー＋２重量％のＡＦ  ２４９、ｅ）１０％の市販トイレクリーナー、ｆ）１０％の市販トイレクリーナー＋２重量％のＡＦ  ２４９。
【手続補正３】
【補正対象書類名】明細書
【補正対象項目名】００２９
【補正方法】変更
【補正の内容】
【００２９】
しかしながら、別の態様として、抗菌活性領域は、もちろん、それ自体が微生物に対して既に抗菌および／または抗付着活性である単位を含んでいてもよい。この態様では、ブロック型配置でなくても抗菌作用が付与され得るので必須ではないが、該単位も好ましくはブロックである。
【手続補正４】
【補正対象書類名】明細書
【補正対象項目名】００３７
【補正方法】変更
【補正の内容】
【００３７】
更に、本発明の高分岐ポリマーは、少なくとも２つの異なった立体配座状態を形成できる限り、好ましくは両性分子である。水性媒体中の溶解状態では、疎水性コアは分子内部に見られ、抗菌活性単位は水性媒体の方へ外側に向かって整列する。疎水性表面との接触により構造が折れ曲がり、立体配座が変化し、疎水性コアが疎水性表面に結合し、抗菌活性領域が表面から離れた方を向き、それにより微生物に対して抗菌的および／または抗付着的に作用する。
【手続補正５】
【補正対象書類名】明細書
【補正対象項目名】００５１
【補正方法】変更
【補正の内容】
【００５１】
従って、本発明の高分岐ポリマーは、特に好ましくは、一方で疎水性ブロック、他方で抗菌活性ブロックを各々含有する、高分岐ブロックコポリマーである。
【手続補正６】
【補正対象書類名】明細書
【補正対象項目名】０１０１
【補正方法】変更
【補正の内容】
【０１０１】
リン酸二水素ナトリウム、ＮａＨ２ＰＯ４は、二水化物（密度１．９１ｇ／ｃｍ３、融点６０℃）として、または一水化物（密度２．０４ｇ／ｃｍ３）として存在する。どちらの塩も、水に極めて溶けやすい白色粉末であり、加熱すると結晶水を失い、２００℃で弱酸性二リン酸塩（二リン酸水素二ナトリウム、Ｎａ２Ｈ２Ｐ２Ｏ７）に転化し、高温でトリメタリン酸ナトリウム（Ｎａ３Ｐ３Ｏ９）とマッドレル塩（下記参照）に転化する。ＮａＨ２ＰＯ４は、酸性反応を呈する。ＮａＨ２ＰＯ４は、リン酸を、水酸化ナトリウムを用いてｐＨ４．５に調整し、得られた「懸濁物」を噴霧することにより生成される。リン酸二水素カリウム（第一リン酸カリウム、重リン酸カリウム、ＫＤＰ）、ＫＨ２ＰＯ４は、密度２．３３ｇ／ｃｍ３の白色塩であり、融点は２５３℃であり［ポリリン酸カリウム、（ＫＰＯ３）ｘの生成により分解］、易水溶性である。
【手続補正７】
【補正対象書類名】明細書
【補正対象項目名】０２０４
【補正方法】変更
【補正の内容】
【０２０４】
適用：
表面を抗菌的に被覆できるようにするため、アルキル化高分岐ブロックコポリマーの１％濃度の無色透明な水溶液を調製した。８０μｌのこの溶液を、６．５cm２（１平方インチ）のガラス表面に適用し、分散させた。溶媒を蒸発することにより、澄明で均一なフィルムを得た。
【手続補正８】
【補正対象書類名】明細書
【補正対象項目名】０２０９
【補正方法】変更
【補正の内容】
【０２０９】
JIS Z 2801:2000に従った微生物分析：
抗菌特性および殺菌特性の定量的評価のために、日本工業規格JIS Z 2801:2000に従った「フィルム密着法」を用いた。ポリマーＡＦ  １４８およびＡＦ  １５２を用いた。ポリマーを１０％濃度のエタノールに溶解し、ペトリ皿に適用し、乾燥した。
【手続補正９】
【補正対象書類名】明細書
【補正対象項目名】０２１０
【補正方法】変更
【補正の内容】
【０２１０】
次いで、所定の微生物密度で微生物懸濁液を被覆ペトリ皿に適用し、カバーガラスによって平らに分散させた。未被覆ペトリ皿を対照として使用した。微生物の効果を試験するために、グラム陽性のStaphylococcus aureusを試験微生物として使用した。所定の培養期間（本発明では０時間および２４時間）の後、適用した微生物懸濁液と共にペトリ皿を振盪し、微生物数を数えるために希釈系を調製した。殺菌作用の証拠は、未処理の対照と比較したコロニー形成単位（ＣＦＵ）の測定によって得られる。
【手続補正１０】
【補正対象書類名】明細書
【補正対象項目名】０２１４
【補正方法】変更
【補正の内容】
【０２１４】
１０個のスナップキャップジャーを２４時間超音波処理した。次いで、液体を、スナップキャップジャーからエッペンドルフマイクロチューブに移し、超遠心分離器で遠心分離した（１０，０００ｒｐｍ、２分間）。これによって、吸着されている不溶染料成分が、続いてのＵＶ／ＶＩＳ測定で妨げとならないことが確実になった。続いてのＵＶ／ＶＩＳ測定では、５１８ｎｍで吸収を比較し、染料の初期濃度に対してプロットした。染料の吸着は初期に直線的に増加し、一定の濃度を超えて飽和に達することがわかった。吸着能を定量化するため、両方の最終試料の遠心分離物をアセトンに溶解した。この溶液から、不溶染料の量を吸収によって測定した。染料の吸着量（２．６９×１０−７ｍｏｌ）は、初期重量（２．８４×１０−７ｍｏｌ）と測定された残留染料量（１．４４×１０−８ｍｏｌ）との差である。８５，０００ｇ／ｍｏｌの分子量について、これは、高分岐ポリマーあたり平均２．２８染料分子に相当する。
【手続補正１１】
【補正対象書類名】明細書
【補正対象項目名】０２１６
【補正方法】変更
【補正の内容】
【０２１６】
澄明な黄色がかった溶液を５０℃の温度で７４日間貯蔵した。この貯蔵期間後、出発試料との違いは見られなかった。変色も濁りも観察されなかった。貯蔵期間後に溶液の抗菌活性がまだ存在するかどうかを調べるため、各溶液７０μｌを取り出し、スライドガラス上の６．５cm２（１平方インチ）の表面を被覆した。フィルムを、Staphylococcus aureusを用いた抗菌スプレー試験に付した。３つの被膜全てにおいて、S. aureusの増殖が阻害されたことが明らかになった。従って、抗菌活性は、５０℃での長期保存によって制限されない。
【手続補正１２】
【補正対象書類名】明細書
【補正対象項目名】０２１７
【補正方法】変更
【補正の内容】
【０２１７】
３回の解凍サイクル後の貯蔵安定性試験：
もう１つの試験では、各々のポリマーと製品との混合物を、−２０℃で３日間凍結させて再び解凍し、これを３回繰り返した。５０℃での試験と同じ、３つの異なった調剤を使用した。
０％市販トイレクリーナー；水中１重量％ＡＦ  ２４９
１０％市販トイレクリーナー；水中１重量％ＡＦ  ２４９
１００％市販トイレクリーナー；１重量％ＡＦ  ２４９